(57)【要約】【課題】転動体の擦り傷の発生を抑制可能な組立治具及び組立方法を提供する。【解決手段】組立治具２０は、第１環状体３と、第２環状体５と、複数のピン９と、を備えるピンタイプ保持器を組み立てるために、第１及び第２環状体３，５の間隔を一定に維持する。組立治具２０は、第１環状体３の軸方向における転動体７とは反対側の部分を支持する第１支持部２１と、第２環状体５の軸方向における転動体７とは反対側の部分を支持する第２支持部２３と、を備える。【選択図】図１
2016090029.tif 000002
【特許請求の範囲】
【請求項１】
周方向に間隔を空けて複数の第１貫通孔が形成された第１環状体と、
前記第１環状体と軸方向に間隔を空けて配置され、且つ、周方向に間隔を空けて複数の第２貫通孔が形成された第２環状体と、
前記第１及び第２環状体の間に配置された複数の転動体の中空孔にそれぞれ挿入され、且つ、両端部が前記第１及び第２貫通孔に固定される複数のピンと、
を備えるピンタイプ保持器を組み立てるために、前記第１及び第２環状体の間隔を一定に維持する組立治具であって、
前記組立治具は、
前記第１環状体の軸方向における前記転動体とは反対側の部分を支持する第１支持部と、
前記第２環状体の軸方向における前記転動体とは反対側の部分を支持する第２支持部と、
を備えることを特徴とする組立治具。
【請求項２】
前記第１環状体の軸方向における前記転動体とは反対側の部分には、ネジ穴が形成され、
前記第１支持部には、ネジ孔が形成され、
前記第１環状体のネジ穴及び前記第１支持部のネジ孔を、ネジ部材で締結することによって、前記第１環状体は前記第１支持部に重力方向上方から吊り下げられ、
前記２環状体は前記第２支持部に重力方向下方から支持される
ことを特徴とする請求項１に記載の組立治具。
【請求項３】
周方向に間隔を空けて複数の第１貫通孔が形成された第１環状体と、
前記第１環状体と軸方向に間隔を空けて配置され、且つ、周方向に間隔を空けて複数の第２貫通孔が形成された第２環状体と、
前記第１及び第２環状体の間に配置された複数の転動体の中空孔にそれぞれ挿入され、且つ、両端部が前記第１及び第２貫通孔に固定される複数のピンと、
を備えるピンタイプ保持器を、組立治具を用いて組み立てる組立方法であって、
前記組立治具の第１支持部によって、前記第１環状体の軸方向における前記転動体とは反対側の部分を支持する工程と、
前記組立治具の第２支持部によって、前記第２環状体の軸方向における前記転動体とは反対側の部分を支持する工程と、
前記第１及び第２支持部によって前記第１及び第２環状体の間隔が一定に維持された状態で、前記ピンを、前記第１貫通孔、前記中空孔、及び前記第２貫通孔に挿入する工程と、
前記ピンの両端部を、前記第１及び第２貫通孔に固定する工程と、
を備えることを特徴とする組立方法。
【発明の詳細な説明】
【技術分野】
【０００１】
本発明は組立治具及び組立方法に関する。
【背景技術】
【０００２】
従来より、図３に示すように、軸方向に離間して配置される第１及び第２環状体１０３，１０５と、第１及び第２環状体１０３，１０５の間に配置された複数の転動体１０７の中空孔１０７ａにそれぞれ挿入され、両端部で第１及び第２環状体１０３，１０５を結合する複数のピン１０９と、を備えたピンタイプ保持器１０１が知られている（例えば、特許文献１及び２参照）。図４も参照し、第１及び第２環状体１０３，１０５には、周方向に間隔を空けて複数の第１及び第２貫通孔１０３ａ，１０５ａが形成されている。第１及び第２貫通孔１０３ａ，１０５ａそれぞれの個数は、転動体１０７の個数と同数である。また、第２貫通孔１０５ａには雌ネジ部が形成されている。
【０００３】
このようなピンタイプ保持器１０１を組み立てる際には、先ず、第２環状体１０５をベース１１９によって下方から支持する。次に、第２環状体１０５の上方に、転動体１０７及び第１環状体１０３を配置する。その際、第１環状体１０３と転動体１０７との間にシム部材１１３を介在させる。そして、図４に示すように、第１及び第２貫通孔１０３ａ，１０５ａよりも少ない数（図示の例では６本）の仮止めボルト１１５を、第１及び第２貫通孔１０３ａ，１０５ａ並びに中空孔１０７ａに、円周方向等配で挿入する。そして、仮止めボルト１１５を第２貫通孔１０５ａの雌ネジ部に螺合することにより、転動体１０７及びシム部材１１３を、第１及び第２環状体１０３，１０５で挟んで仮止めする。このとき、シム部材１１３によって、第１及び第２環状体１０３，１０５との間隔は一定に保たれる。
【０００４】
次いで、仮止めボルト１１５が配置されていない位置（図示の例では１２箇所）において、ピン１０９を第１及び第２貫通孔１０３ａ，１０５ａ並びに中空孔１０７ａに挿入する。ここで、ピン１０９の第２貫通孔１０５ａ側の第２端部１０９ｂ（図３中、下方側端部）には雄ネジ部が形成され、ピン１０９の中間部１０９ｃの外径は、中空孔１０７ａの内径よりも小さく設定される。そして、ピン１０９の第２端部１０９ｂの雄ネジ部を、第２貫通孔１０５ａの雌ネジ部に螺合固定する。続いて、ピン１０９の第１貫通孔１０３ａ側の第１端部１０９ａ（図３中、上方側端部）を、第１貫通孔１０３ａに溶接によって固定する。図３中の符号１１７は第１端部１０９ａと第１貫通孔１０３ａとの溶接部を示している。
【０００５】
なお、図示の例のように、転動体１０７が円錐ころである場合、第１及び第２環状体１０３，１０５と、転動体１０７と、ピン１０９と、を組み立てた状態では、当該組立体を円錐ころ軸受の内輪１１１に組み込むことができない。したがって、先ず転動体１０７を内輪１１１に組み込んだ状態で、上述した仮止めボルト１１５及びピン１０９の挿入が行われる。
【０００６】
その後、仮止めボルト１１５を外し、仮止めボルト１１５が配置されていた位置（図示の例では６箇所）において、ピン１０９を第１及び第２貫通孔１０３ａ，１０５ａ並びに中空孔１０７ａに、円周方向等配で挿入する。そして、ピン１０９の第２端部１０９ｂの雄ネジ部を、第２貫通孔１０５ａの雌ネジ部に螺合固定する。続いて、ピン１０９の第１端部１０９ａを、第１貫通孔１０３ａに溶接によって固定する。
【０００７】
以上説明した工程を経て、第１及び第２貫通孔１０３ａ，１０５ａの間隔が一定に保たれた状態で、全ての転動体１０７がピンタイプ保持器１０１に転動自在に保持される。
【先行技術文献】
【特許文献】
【０００８】
【特許文献１】特開２０１３−７４５３号公報
【特許文献２】特開２００６−９０４１０号公報
【発明の概要】
【発明が解決しようとする課題】
【０００９】
しかしながら、上述したような組立方法においては、シム部材１１３が転動体１０７及び第１環状体１０３によって圧迫された状態になっているため、シム部材１１３を外すときに、転動体１０７に擦り傷が発生し、外観不良となる問題があった。特に、転動体１０７に被膜処理を施す場合、外観不良は顕著となる。表面処理被膜処理したピンタイプ軸受共通の問題として外観品質に対する要求も高いため特に問題となる。保持器組立時にシム部材を用いる特許文献１及び２の発明においても、同様の問題が生じる可能性がある。
【００１０】
本発明は上記事情に鑑みてなされたものであり、転動体の擦り傷の発生を抑制可能な組立治具及び組立方法を提供することを目的とする。
【課題を解決するための手段】
【００１１】
本発明の上記目的は、下記の構成により達成される。
（１）  周方向に間隔を空けて複数の第１貫通孔が形成された第１環状体と、
前記第１環状体と軸方向に間隔を空けて配置され、且つ、周方向に間隔を空けて複数の第２貫通孔が形成された第２環状体と、
前記第１及び第２環状体の間に配置された複数の転動体の中空孔にそれぞれ挿入され、且つ、両端部が前記第１及び第２貫通孔に固定される複数のピンと、
を備えるピンタイプ保持器を組み立てるために、前記第１及び第２環状体の間隔を一定に維持する組立治具であって、
前記組立治具は、
前記第１環状体の軸方向における前記転動体とは反対側の部分を支持する第１支持部と、
前記第２環状体の軸方向における前記転動体とは反対側の部分を支持する第２支持部と、
を備えることを特徴とする組立治具。
（２）  前記第１環状体の軸方向における前記転動体とは反対側の部分には、ネジ穴が形成され、
前記第１支持部には、ネジ孔が形成され、
前記第１環状体のネジ穴及び前記第１支持部のネジ孔を、ネジ部材で締結することによって、前記第１環状体は前記第１支持部に重力方向上方から吊り下げられ、
前記２環状体は前記第２支持部に重力方向下方から支持される
ことを特徴とする（１）に記載の組立治具。
（３）  周方向に間隔を空けて複数の第１貫通孔が形成された第１環状体と、
前記第１環状体と軸方向に間隔を空けて配置され、且つ、周方向に間隔を空けて複数の第２貫通孔が形成された第２環状体と、
前記第１及び第２環状体の間に配置された複数の転動体の中空孔にそれぞれ挿入され、且つ、両端部が前記第１及び第２貫通孔に固定される複数のピンと、
を備えるピンタイプ保持器を、組立治具を用いて組み立てる組立方法であって、
前記組立治具の第１支持部によって、前記第１環状体の軸方向における前記転動体とは反対側の部分を支持する工程と、
前記組立治具の第２支持部によって、前記第２環状体の軸方向における前記転動体とは反対側の部分を支持する工程と、
前記第１及び第２支持部によって前記第１及び第２環状体の間隔が一定に維持された状態で、前記ピンを、前記第１貫通孔、前記中空孔、及び前記第２貫通孔に挿入する工程と、
前記ピンの両端部を、前記第１及び第２貫通孔に固定する工程と、
を備えることを特徴とする組立方法。
【発明の効果】
【００１２】
本発明の組立治具及び組立方法によれば、第１及び第２環状体の間隔が一定に保たれたピンタイプ保持器を組み立てることが可能である。また、従来技術では、シム部材を取り外すときに転動体に擦り傷が発生していたが、本実施形態の方法ではシム部材を用いないため、転動体に擦り傷が発生することを防止できる。
【図面の簡単な説明】
【００１３】
【図１】本実施形態に係る組立治具及びピンタイプ保持器を示す断面図である。
【図２】組立治具及び第１環状体を示す平面図である。
【図３】従来技術に係るシム部材及びピンタイプ保持器を示す断面図である。
【図４】従来技術に係る第１環状体を示す平面図である。
【発明を実施するための形態】
【００１４】
以下、本発明の実施形態に係る組立治具及び組立方法について、図面を用いて説明する。
【００１５】
図１に示すように、本実施形態に係る組立治具２０を用いて組み立てられるピンタイプ保持器１は、軸方向に離間して配置される第１及び第２環状体３，５と、第１及び第２環状体３，５の間に配置された複数の転動体（円錐ころ）７の中空孔７ａにそれぞれ挿入され、両端部で第１及び第２環状体３，５を結合する複数のピン９と、を備える。したがって、複数の転動体７はそれぞれ、軸方向に対向する第１及び第２環状体３，５間に、ピン９を介して転動自在に挟持される。符号１１は、外周面で転動体７と当接し、当該転動体７と相対回転可能な内輪である。
【００１６】
第１及び第２環状体３，５の軸方向両端面（図１中の上下面）は、円錐ころである転動体７の形状に整合するように、テーパ形状とされている。図２も参照し、第１及び第２環状体３，５には、周方向に間隔を空けて、転動体７の個数と同数である第１及び第２貫通孔３ａ，５ａが形成されている。第１及び第２貫通孔３ａ，５ａは、第１及び第２環状体３，５の軸方向両端面と略垂直に延びて、第１及び第２環状体３，５を軸方向に貫通する。ここで、第１及び第２貫通孔３ａ，５ａの延びる方向は、転動体７の中空孔７ａと略平行である。したがって、ピン９を、第１及び第２貫通孔３ａ，５ａ並びに中空孔７ａに挿入することが可能となる。
【００１７】
ここで、ピン９の第２貫通孔５ａ側の第２端部９ｂ（図１中、下方側端部）には雄ネジ部が形成され、第２貫通孔５ａには雌ネジ部が形成されている。したがって、第２端部９ｂの雄ネジ部を、第２貫通孔５ａの雌ネジ部に螺合することで、ピン９を第２環状体５に固定することが可能である。また、ピン９の中間部９ｃの外径は、中空孔７ａの内径よりも小さく設定されているので、転動体７はピン９に相対回転可能に支持される。また、ピン９の第１貫通孔３ａ側の第１端部９ａ（図１中、上方側端部）は、第１貫通孔３ａに溶接によって固定可能である。図１中の符号１７は第１端部９ａと第１貫通孔３ａとの溶接部を示している。
【００１８】
組立治具２０は、第１環状体３の軸方向における転動体７とは反対側の部分（図１中の上方部分）を支持する第１支持部２１と、第２環状体５の軸方向における転動体７とは反対側の部分（図１中の下方部分）を支持する第２支持部２３と、を備える。第１及び第２環状体３，５の径方向外側端部同士は、軸方向に延びる接続部２５によって接続される。
【００１９】
第１支持部２１は、全体として径方向に延びる断面略矩形状である。また、第１支持部２１は、径方向外側に位置する幅広部２６と、幅広部２６の内周面２６ａから径方向内側に突出し、幅広部２６よりも軸方向幅が狭い幅狭部２７と、を有する。ここで、幅広部２６の内周面２６ａ、及び幅狭部２７の第１環状体３側の端面２７ａは、第１環状体３と形状・寸法において対応しており、第１環状体３を軸方向及び径方向に関して位置決め可能である。
【００２０】
幅狭部２７には、軸方向に貫通するネジ孔２７ｂが形成される。また、第１環状体３の軸方向における転動体７とは反対側の部分（図１中の上方部分）のうち、幅狭部２７の端面２７ａと当接する部分には、軸方向に向かうネジ穴３ｂが凹設される。そして、第１環状体３のネジ穴３ｂ及び幅狭部２７のネジ孔２７ｂを、ネジ部材２９で締結することにより、第１環状体３は第１支持部２１に支持される。本実施形態では、軸方向と重力方向が略平行とされており、第１環状体３は第１支持部２１によって重力方向上方から吊り下げられた状態とされる。なお、第１支持部２１による第１環状体３の支持方法は、第１環状体３を解放可能であれば、ネジ部材２９による締結に限定されるものではなく、任意の方法を適用してよい。
【００２１】
第２支持部２３は、径方向に延びる断面略矩形状である。また、第２支持部２３の第２環状体５側の端面２３ａは、第２環状体５の軸方向における転動体７とは反対側の部分（図１中の下方部分）と当接して、重力方向下方から支持する。また、第２支持部２３には軸方向に延びて、径方向で第２環状体５と当接するガイド２８が付いている。そして、ガイド２８と第２環状体５の寸法が対応しているため、第２環状体５はガイド２８によって径方向にも支持される。このため、第１環状体３と第２環状体５の位置合せが容易となる。
【００２２】
なお、本実施形態では、軸方向と重力方向が略平行であるとしたが、軸方向と重力方向が互いに角度を持って交差する構成でも構わない。その場合、第２支持部２３による第２環状体５の支持を確実なものとするため、第１支持部２１による第１環状体３の支持と同様、ネジ部材等によって第２支持部２３と第２環状体５とを固定してもよい。
【００２３】
また、組立治具２０は、複数用いても構わない。その場合、複数の組立治具２０は、例えば周方向に等間隔で配置され、ネジ部材２９やネジ孔２７ｂ等も周方向に等間隔で配置される。
【００２４】
このようなピンタイプ保持器１を、組立治具２０を用いて組み立てる方法を以下説明する。
【００２５】
先ず、組立治具２０の第１支持部２１及びネジ部材２９によって、第１環状体３を支持し、第２支持部２３によって第２環状体５を支持する。これにより、第１及び第２環状体３，５の間隔が一定に維持される。次に、ピン９を、第１貫通孔３ａ、中空孔７ａ、及び第２貫通孔に挿入する。
【００２６】
図示の例のように、転動体７が円錐ころである場合、第１及び第２環状体３，５と、転動体７と、ピン９と、を組み立てた状態では、当該組立体を円錐ころ軸受の内輪１１に組み込むことができない。したがって、先ず転動体７を内輪１１に組み込んだ状態で、上述したピン９の挿入が行われる。
【００２７】
続いて、ピン９の第２端部９ｂの雄ネジ部を、第２貫通孔５ａの雌ネジ部に螺合固定する。続いて、ピン９の第１端部９ａを、第１貫通孔３ａに溶接によって固定する（図１中、溶接部１７を参照）。全てのピン９の第１端部９ａを溶接した後、ネジ部材２９を第１環状体３から外し、組立治具２０を第１及び第２環状体３，５から外す。
【００２８】
このように、組立治具２０を用いることによって、第１及び第２環状体３，５の間隔が一定に保たれたピンタイプ保持器１を組み立てることが可能である。また、従来技術では、シム部材を取り外すときに転動体７に擦り傷が発生していたが、本実施形態の方法ではシム部材を用いないため、転動体７に擦り傷が発生することを防止できる。
【００２９】
尚、本発明は、前述した実施形態に限定されるものではなく、適宜変更、改良等が可能である。
【００３０】
例えば、上述の実施形態では、転動体７が円錐ころである円錐ころ軸受用ピンタイプ保持器を組み立てるための組立治具２０及び組立方法を示したが、本発明の組立治具２０及び組立方法は任意の種類のピンタイプ保持器に適用可能であり、例えば円筒ころ軸受や自動調心ころ軸受のピンタイプ保持器に適用可能である。
【符号の説明】
【００３１】
１  ピンタイプ保持器
３  第１環状体
３ａ  第１貫通孔
３ｂ  ネジ穴
５  第２環状体
５ａ  第２貫通孔
７  転動体
７ａ  中空孔
９  ピン
９ａ  第１端部
９ｂ  第２端部
９ｃ  中間部
１１  内輪
１７  溶接部
２０  組立治具
２１  第１支持部
２３  第２支持部
２３ａ  端面
２５  接続部
２６  幅広部
２６ａ  内周面
２７  幅狭部
２７ａ  端面
２７ｂ  ネジ孔
２８  ガイド
２９  ネジ部材
【図１】
2016090029.tif 000003
【図２】
2016090029.tif 000004
【図３】
2016090029.tif 000005
【図４】
2016090029.tif 000006